(57)【要約】【課題】通紙開始直後の加圧ローラの温度低下が大きくなることを回避して、光沢度変化が光沢ムラとして現れない、安定したトナー画像の定着ができ、且つ電力消費量も嵩むことのない画像形成装置に装着されるベルト定着装置の提供。【解決手段】加熱手段を有する加熱ローラと、該加熱ローラに平行な支持ローラと、前記加熱ローラと前記支持ローラとにエンドレスに掛けられた定着ベルトと、該定着ベルトを介して前記支持ローラに対向して設けられた加圧ローラと、該加圧ローラと前記定着ベルトの圧接離間機構を持つベルト定着装置において、前記定着ベルトは内包されている前記支持ローラにより駆動され、前記支持ローラに前記定着ベルトを介して接触する外周面が軸方向に部分的に配置された溝付きローラが補助ローラとして押圧されていることを特徴とするベルト定着装置。【選択図】        図３
2005031182.tif 000002
【特許請求の範囲】
【請求項１】
加熱手段を有する加熱ローラと、該加熱ローラと平行で離間して配設される支持ローラと、前記加熱ローラと前記支持ローラとにエンドレスに掛け渡された定着ベルトと、該定着ベルトを介して前記支持ローラに対向して設けられた加圧ローラと、該加圧ローラが前記定着ベルトを介して前記支持ローラに加圧することなく前記定着ベルトに接触して形成される第１の定着工程を行う部分と、前記加圧ローラが前記定着ベルトを介して前記支持ローラに加圧して形成される第２の定着工程を行う部分と、前記加圧ローラと前記定着ベルトの圧接離間機構を有するベルト定着装置において、
前記定着ベルトは内包されている前記支持ローラにより駆動され、前記定着ベルトを介して前記支持ローラに対向する第２加圧ローラを補助ローラとして有することを特徴とするベルト定着装置。
【請求項２】
加熱手段を有する加熱ローラと、該加熱ローラと平行で離間して配設される支持ローラと、前記加熱ローラと前記支持ローラとにエンドレスに掛け渡された定着ベルトと、該定着ベルトを介して前記支持ローラに対向して設けられた加圧ローラと、該加圧ローラと前記定着ベルトの圧接離間機構を有するベルト定着装置において、
前記定着ベルトは内包されている前記支持ローラにより駆動され、前記支持ローラに前記定着ベルトを介して接触する外周面が軸方向に部分的に配置された溝付きローラが補助ローラとして押圧されていることを特徴とするベルト定着装置。
【請求項３】
加熱手段を有する加熱ローラと、該加熱ローラと平行で離間して配設される支持ローラと、前記加熱ローラと前記支持ローラとにエンドレスに掛け渡された定着ベルトと、該定着ベルトを介して前記支持ローラに対向して設けられた加圧ローラと、該加圧ローラと前記定着ベルトの圧接離間機構を有するベルト定着装置において、
前記定着ベルトは内包されている前記支持ローラにより駆動され、該支持ローラに前記定着ベルトを介して補助ローラが押圧され、該補助ローラは、軸方向に移動可能であることを特徴とするベルト定着装置。
【請求項４】
前記補助ローラは前記定着ベルトに対して圧接離間機構を有し、前記加圧ローラの離間時に圧接されるようにしたことを特徴とする請求項１〜３の何れか１項に記載のベルト定着装置。
【発明の詳細な説明】
【０００１】
【発明の属する技術分野】
本発明はベルト定着装置を装着した画像形成装置に関する。
【０００２】
【従来の技術】
画像形成装置に装着されるベルト定着装置では、加熱された定着ベルトを、トナー像を転写した転写材と共に支持ローラと加圧ローラで加熱加圧して転写材の定着を行っているが、加圧力がかなり強いので、特に定着ベルト、更には支持ローラや加圧ローラへのダメージがあり、それを軽減させるために、通紙時以外の休止時には支持ローラや加圧ローラ間の圧着を解除して耐久性を維持させる必要がある。
【０００３】
しかし、解除時も定着ベルトの周方向の温度を均一にするためには定着ベルトを回転させる必要があるが、支持ローラ及び加圧ローラ間の圧着を解除しているとベルト自身の剛性や駆動ローラとしての前記支持ローラとの摩擦の関係等により、支持ローラの駆動回転だけでは定着ベルトを満足に回転させられず、通紙以外の休止期間にも定着ベルトを回転させるためには、支持ローラ及び加圧ローラの圧着を必ずしも解除してしまうことはできない。
【０００４】
しかし、そのようにすると、加圧ローラの温度も上昇してしまい、この状態で再び通紙を開始すると、開始直後の加圧ローラの温度低下が大きくなり、それに伴う光沢度変化が起こり、定着品質が損なわれる。そして定着ベルトの温度と加圧ローラの温度を独立に制御できなくなる。
【０００５】
また、圧着している時間が長くなれば、各部材へのダメージが大きくなり、定着装置の寿命も短くなる。
【０００６】
そしてこの事態を避けるためには、通紙開始前に加圧ローラの温度を予め下げる工程を入れたりするため、ウォーミングアップタイムが長くなると共に、大きな電力が必要になり、画像形成の作成効率も低下する。
【０００７】
定着装置の消費電力の画像形成装置全体に占める比率は比較的に大きく、このようなエネルギの消費をできるだけ押さえる手段としては特許文献１に示すようなものも提案されている。
【０００８】
【特許文献１】
特開平６−３１４０４２号公報
【０００９】
【発明が解決しようとする課題】
本発明は上述のようなベルト定着装置の問題点を解決して、通紙開始直後の加圧ローラの温度低下が大きくなることを回避して、光沢度変化が光沢ムラとして現れない、安定したトナー画像の定着ができ、且つ電力消費量も嵩むことのない画像形成装置に装着されるベルト定着装置を提供することを課題目的にする。
【００１０】
【課題を解決するための手段】
この目的は次の技術手段（１）〜（４）の何れかによって達成される。
【００１１】
（１）  加熱手段を有する加熱ローラと、該加熱ローラと平行で離間して配設される支持ローラと、前記加熱ローラと前記支持ローラとにエンドレスに掛け渡された定着ベルトと、該定着ベルトを介して前記支持ローラに対向して設けられた加圧ローラと、該加圧ローラが前記定着ベルトを介して前記支持ローラに加圧することなく前記定着ベルトに接触して形成される第１の定着工程を行う部分と、前記加圧ローラが前記定着ベルトを介して前記支持ローラに加圧して形成される第２の定着工程を行う部分と、前記加圧ローラと前記定着ベルトの圧接離間機構を有するベルト定着装置において、
前記定着ベルトは内包されている前記支持ローラにより駆動され、前記定着ベルトを介して前記支持ローラに対向する第２加圧ローラを補助ローラとして有することを特徴とするベルト定着装置。
【００１２】
（２）  加熱手段を有する加熱ローラと、該加熱ローラと平行で離間して配設される支持ローラと、前記加熱ローラと前記支持ローラとにエンドレスに掛け渡された定着ベルトと、該定着ベルトを介して前記支持ローラに対向して設けられた加圧ローラと、該加圧ローラと前記定着ベルトの圧接離間機構を有するベルト定着装置において、
前記定着ベルトは内包されている前記支持ローラにより駆動され、前記支持ローラに前記定着ベルトを介して接触する外周面が軸方向に部分的に配置された溝付きローラが補助ローラとして押圧されていることを特徴とするベルト定着装置。
【００１３】
（３）  加熱手段を有する加熱ローラと、該加熱ローラと平行で離間して配設される支持ローラと、前記加熱ローラと前記支持ローラとにエンドレスに掛け渡された定着ベルトと、該定着ベルトを介して前記支持ローラに対向して設けられた加圧ローラと、該加圧ローラと前記定着ベルトの圧接離間機構を有するベルト定着装置において、
前記定着ベルトは内包されている前記支持ローラにより駆動され、該支持ローラに前記定着ベルトを介して補助ローラが押圧され、該補助ローラは、軸方向に移動可能であることを特徴とするベルト定着装置。
【００１４】
（４）  前記補助ローラは前記定着ベルトに対して圧接離間機構を有し、前記加圧ローラの離間時に圧接されるようにしたことを特徴とする（１）〜（３）項の何れか１項に記載のベルト定着装置。
【００１５】
【発明の実施の形態】
以下、本発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１６】
図１は、本発明のベルト定着装置が装着された画像形成装置の実施の形態としてのカラー画像形成装置を示す断面構成図である。
【００１７】
このカラー画像形成装置は、タンデム型カラー画像形成装置と称せられるもので、複数組の画像形成部１０Ｙ，１０Ｍ，１０Ｃ，１０Ｋと、無端ベルト状中間転写体ユニット７と、給紙搬送手段２１及び定着手段としてのベルト定着装置２４とから成る。画像形成装置の本体Ａの上部には、原稿画像読み取り装置ＳＣが配置されている。
【００１８】
イエロー色の画像を形成する画像形成部１０Ｙは、第１の像担持体としてのドラム状の感光体１Ｙ、該感光体１Ｙの周囲に配置された帯電手段２Ｙ、露光手段３Ｙ、現像手段４Ｙ、一次転写手段としての一次転写ローラ５Ｙ、クリーニング手段６Ｙを有する。マゼンタ色の画像を形成する画像形成部１０Ｍは、第１の像担持体としてのドラム状の感光体１Ｍ、該感光体１Ｍの周囲に配置された帯電手段２Ｍ、露光手段３Ｍ、現像手段４Ｍ、一次転写手段としての一次転写ローラ５Ｍ、クリーニング手段６Ｍを有する。シアン色の画像を形成する画像形成部１０Ｃは、第１の像担持体としてのドラム状の感光体１Ｃ、該感光体１Ｃの周囲に配置された帯電手段２Ｃ、露光手段３Ｃ、現像手段４Ｃ、一次転写手段としての一次転写ローラ５Ｃ、クリーニング手段６Ｃを有する。黒色画像を形成する画像形成部１０Ｋは、第１の像担持体としてのドラム状の感光体１Ｋ、該感光体１Ｋの周囲に配置された帯電手段２Ｋ、露光手段３Ｋ、現像手段４Ｋ、一次転写手段としての一次転写ローラ５Ｋ、クリーニング手段６Ｋを有する。
【００１９】
無端ベルト状中間転写体ユニット７は、複数のローラにより巻回され、回動可能に支持された半導電性エンドレスベルト状の第２の像担持体としての無端ベルト状中間転写体７０を有する。
【００２０】
画像形成部１０Ｙ，１０Ｍ，１０Ｃ，１０Ｋより形成された各色の画像は、一次転写ローラ５Ｙ，５Ｍ，５Ｃ，５Ｋにより、回動する無端ベルト状中間転写体７０上に逐次転写されて、合成されたカラー画像が形成される。給紙カセット２０内に収容された記録媒体として用紙等の転写材Ｐは、給紙手段２１により給紙され、複数の中間ローラ２２Ａ，２２Ｂ，２２Ｃ，２２Ｄ、レジストローラ２３を経て、二次転写手段５Ａに搬送され、転写材Ｐ上にカラー画像が一括転写される。カラー画像が転写された転写材Ｐは、ベルト定着装置２４により定着処理され、排紙ローラ２５に挟持されて機外の排紙トレイ２６上に載置される。
【００２１】
一方、二次転写手段としての二次転写ローラ５Ａにより転写材Ｐにカラー画像を転写した後、転写材Ｐを曲率分離した無端ベルト状中間転写体７０は、クリーニング手段６Ａにより残留トナーが除去される。
【００２２】
画像形成処理中、一次転写ローラ５Ｋは常時、感光体１Ｋに圧接している。他の一次転写ローラ５Ｙ，５Ｍ，５Ｃはカラー画像形成時にのみ、それぞれ対応する感光体１Ｙ，１Ｍ，１Ｃに圧接する。
【００２３】
二次転写ローラ５Ａは、ここを転写材Ｐが通過して二次転写が行われる時にのみ、無端ベルト状中間転写体７０に圧接する。
【００２４】
また、装置本体Ａから筐体８を支持レール８２Ｌ，８２Ｒを介して引き出し可能にしてある。
【００２５】
筐体８は、画像形成部１０Ｙ，１０Ｍ，１０Ｃ，１０Ｋと、無端ベルト状中間転写体ユニット７とから成る。
【００２６】
画像形成部１０Ｙ，１０Ｍ，１０Ｃ，１０Ｋは、垂直方向に縦列配置されている。感光体１Ｙ，１Ｍ，１Ｃ，１Ｋの図示左側方には無端ベルト状中間転写体ユニット７が配置されている。無端ベルト状中間転写体ユニット７は、ローラ７１，７２，７３，７４，７６を巻回して回動可能な無端ベルト状中間転写体７０、一次転写ローラ５Ｙ，５Ｍ，５Ｃ，５Ｋ及びクリーニング手段６Ａとから成る。
【００２７】
筐体８の引き出し操作により、画像形成部１０Ｙ，１０Ｍ，１０Ｃ，１０Ｋと、無端ベルト状中間転写体ユニット７とは、一体となって、本体Ａから引き出される。
【００２８】
このように感光体１Ｙ，１Ｍ，１Ｃ，１Ｋ上に帯電、露光、現像によりトナー像を形成し、それを無端ベルト状中間転写体７０上に各色のトナー像を一次転写して重ね合わせ、それを一括して転写材Ｐに二次転写し、ベルト定着装置２４で加圧及び加熱により固定して定着する。トナー像を無端ベルト状中間転写体７０に転移させた後の感光体１Ｙ，１Ｍ，１Ｃ，１Ｋは、クリーニング手段６Ｙ，６Ｍ，６Ｃ，６Ｋで転写時に感光体に残された残留トナーを清掃した後、上記の帯電、露光、現像のサイクルに入り、次の像形成が行われる。
【００２９】
本発明の画像形成装置は、これに搭載されるベルト定着装置２４に大きな特色を有するものであり、その一例として図２の構成図に示すベルト定着装置２４Ａと他の一例として図３の構成図に示すベルト定着装置２４Ｂについて順次説明する。
【００３０】
図２に示すベルト定着装置２４Ａは無端の定着ベルト２６０と、該定着ベルト２６０を支持搬送し、紙等の転写材Ｐと前記定着ベルト２６０を間に挟んで加圧加熱定着する内部の支持ローラ２５０と、該支持ローラ２５０に対向する外部の加圧ローラ２７０と、前記定着ベルト２６０を巻回させるために前記支持ローラ２５０と共に配置された加熱ローラ２４０とよりなる。該加熱ローラ２４０は加熱手段として加熱源２４１を有しその外周の一部を取り囲むように前記定着ベルト２６０が巻回されている。前記支持ローラ２５０とそれに対向する外部の加圧ローラ２７０とからなる一対のローラ対で前記定着ベルト２６０及び転写材Ｐを間に介して形成される主ニップ部を構成し、これに後述する補助ローラ２８０を設けたものである。尚、前記加熱源２４１にはハロゲンヒータやセラミックヒータや誘導加熱型の加熱装置等が用いられる。
【００３１】
図３に示すベルト定着装置２４Ｂは、前述のベルト定着装置２４Ａの構成に加えて、前記加圧ローラ２７０の表面に前記定着ベルト２６０を密着させるために、前記両ローラ２４０，２５０と共に定着ベルト２６０に巻回されるパッド２５３、ガイド部材２５４を設けて前述の主ニップ部の上流に補助ニップが形成されるようにしたものである。
【００３２】
該補助ニップは定着ベルト２６０の柔軟性を生かして、小さな内部の支持ローラ径で且つ、比較的小さな加圧力で、大きな加熱時間を確保するのに有効である。
【００３３】
両ローラ間で形成される第２の定着工程としての主加圧ニップに先立ち、外部の加圧ローラ２７０に密着された定着ベルト２６０と前記加圧ローラ２７０の間に転写材Ｐが挟まれ補助ニップがなされるように、支持部材としてのパッド２５３によって加圧され第１の定着工程として予熱が加えられる。更に、その後の主ニップ部で、定着ベルト２６０の持つ熱と前記支持ローラ２５０と前記加圧ローラ２７０によるよる強い圧力によって、トナーは転写材Ｐに確実に安定して定着される。トナー層には定着ベルト２６０の表面のごく薄いＰＦＡ又はＰＴＦＥの離型性層を介して外部加圧ローラ２７０の表面のＳｉゴム層が当接されるため、Ｓｉゴムが変形して紙等の転写材Ｐやトナー層の凹凸に追従して、均一に接触し、光沢ムラなどのない均一な定着が行われ、トナー画像は適度な光沢を持ち、また定着後、転写材Ｐは安定して定着ベルト２６０から分離する。
【００３４】
上記のベルト定着装置２４Ａ及び２４Ｂにおいて、定着ベルト２６０は、図示はしないが支持ローラ２５０によって駆動されている。しかしこれには限らず、該支持ローラ及び前記加圧ローラの両方によって駆動させることもできる。そして給紙ガイド２９０等により定着領域に搬送されてきたトナー画像を保持した転写材Ｐと定着ベルト２６０は、内部の支持ローラ２５０及び外部の加圧ローラ２７０で挟んで加圧される。
【００３５】
ベルト定着装置２４Ａ及び２４Ｂは通紙時には円滑な定着が続行されるが、一方、加圧ローラ２７０の加圧力がかなり強いので、特に定着ベルト２６０、更には支持ローラ２５０や加圧ローラ２７０へのかなりのダメージがあり、それを軽減させるために、通紙時以外は支持ローラや加圧ローラ間の圧着を解除して耐久性を保持させる必要がある。
【００３６】
しかし、解除時も定着ベルトの周方向の温度を均一にするためには定着ベルト２６０を回転させる必要があるが、支持ローラ２５０及び加圧ローラ２７０間の圧着を解除しているとベルト自身の剛性や駆動ローラとしての前記支持ローラ２５０との摩擦の関係等により、該支持ローラ２５０の駆動回転だけでは定着ベルト２６０を満足に回転させられず、そのため該定着ベルト２６０の均一な熱分布が得られず、通紙開始時に安定した定着品質が達成できないということになってしまう。したがって、通紙以外の休止期間にも定着ベルト２６０を安定して確実に回転させるためには、支持ローラ２５０及び加圧ローラ２７０を圧着して回転を続行させるという発想もある。しかし、このように支持ローラ２５０及び加圧ローラ２７０を圧着して通紙以外の休止期間にも定着ベルトを回転させる場合には、転写材Ｐが存在しないので、それによってニップ部での熱が逃がされなくなり、加圧ローラ２７０の温度が１７０℃程度まで上昇してしまい、この状態で通紙再開したときは通紙により加圧ローラ２７０の温度が適正な温度１２０〜１３０℃に下がるまでには時間が掛かると共にその間光沢ムラが起きてしまう。このような事態は絶対に避けねばならない。このため本発明においては次のような対策を行った。
【００３７】
即ち、支持ローラ２５０を駆動ローラとした場合、先行押圧部としてパッド２５３、ガイド部材２５４があると、それが無いときに比べ、なおさら、その部分の摺動抵抗が大きいので、加圧ローラ２７０の加圧を解除すると定着ベルト２６０はますます回転させられにくくなる。
【００３８】
そこで、駆動ローラとしての支持ローラ２５０に補助ローラ２８０として第２加圧ローラ２８０Ａを圧接することにより、加圧ローラ２７０の圧接解除時でも定着ベルトを回転可能とさせた。
【００３９】
第２加圧ローラ２８０Ａはできるだけ熱容量が小さいことが望ましいので、小径で、表層は断熱性が高い材料が良い。
【００４０】
そしてこの第２加圧ローラ２８０Ａを非通紙時の休止期間中は加圧ローラ２７０の加圧に代わって支持ローラ２５０に接触押圧するように切り替える構造にした。
【００４１】
そしてこの第２加圧ローラ２８０Ａを非通紙時の休止期間中は加圧ローラ２７０の加圧に代わって支持ローラ２５０上の定着ベルト２６０に接触押圧するように切り換えるようにした、第２加圧ローラ２８０Ａの圧接離間機構２８０Ｍ及び加圧ローラ２７０の圧接離間機構２７０Ｍを設けている。
【００４２】
図３に詳細に示すように、支持ローラ２５０が駆動され、そして第２加圧ローラ２８０Ａは固定の中心軸２８１の周りに回動するレバー２８５の端部の回転軸２８９に取り付けてあり、支持ローラ２５０上の定着ベルト２６０への着脱はカム２８６の位相の変化とバネ２８７によって第２加圧ローラ２８０Ａは矢印ａ方向に移動するように、前記圧接離間機構２８０Ｍが作動するようにしてある。
【００４３】
また、加圧ローラ２７０も固定軸２７９の周りに回動するレバー２７５の先端の回転軸２７１に取り付けられ、加圧ローラ２７０がカム２７６の位相変化とバネ２７７によって矢印ｂの方向に移動可能に前記加圧ローラ２７０の圧接離間機構２７０Ｍが作動するようにしてある。
【００４４】
尚、ガイド部材２５４には温度センサ２５５が埋め込まれていて定着ベルト２６０の温度が検出され定着温度の制御に貢献している。また、前記ガイド部材２５４は定着ベルト２６０の内側で接するため画像への影響もない。
【００４５】
このような構成をとることにより、ウォーミングアップ時間の大幅な短縮が可能となると共に光沢度の安定したベルト定着装置２４，２４Ａ，２４Ｂを持った画像形成装置が得られるようになった。
【００４６】
このように、第２加圧ローラ２８０Ａを補助ローラ２８０として設置することにより加圧ローラ２７０の解除時でも定着ベルト２６０を円滑に回転できるようにした。
【００４７】
補助ローラ２８０を、第２加圧ローラ２８０Ａに替えて、図４の側面図に示すように、定着ベルト２６０に接するローラ面が軸方向に部分的に配置された溝付きローラ２８０Ｂにした場合、定着ベルト２６０と接触する面積を減らし、定着ベルト２６０の温度が低下するのを防止する効果を持たせることができる。
【００４８】
図３で示してきたように、第１の定着工程及び第２の定着工程を設け、先行加圧を持たせるタイプのベルト定着装置２４Ｂにこの溝付きローラ２８０Ｂを適用した場合には、定着ベルト２６０を駆動ローラとしての支持ローラ２５０に押しつける力をあまり弱くすると、定着ベルト２６０の回転抵抗が大きいので、安定して定着ベルト２６０を回転させられない可能性がある。
【００４９】
しかし、図２の構成図に模式的に示したように、前述の先行加圧を持たないタイプのベルト定着装置２４Ａでは、定着ベルト２６０の回転抵抗が小さいので、押圧力を小さくしても溝付きローラ２８０Ｂでも十分回転させられる。
【００５０】
補助ローラ２８０としての第２加圧ローラ２８０Ａや溝付きローラ２８０Ｂは、軸方向に移動可能にしておくことが好ましい。補助ローラ２８０として第２加圧ローラ２８０Ａや溝付きローラ２８０Ｂを定着ベルト２６０の同一部分に当て続けると、傷や汚れの原因となるので、第２加圧ローラ２８０Ａや溝付きローラ２８０Ｂを軸方向に移動可能として該第２加圧ローラ２８０Ａや溝付きローラ２８０Ｂが定着ベルト２６０に当たる部分を分散させることにより、前述の原因を排除する。
【００５１】
このことは、第２加圧ローラ２８０Ａや溝付きローラ２８０Ｂの幅（通紙方向と直行する方向の幅）が定着ベルト２６０の幅よりも短い場合に特に有効である。
【００５２】
第２加圧ローラ２８０Ａの幅を短くするのは、補助ローラ２８０としての第２加圧ローラ２８０Ａの熱容量を減らすため特に好ましい。
【００５３】
補助ローラ２８０が前述の溝付きローラ２８０Ｂのタイプのローラである場合には、軸方向に移動させながら対処することは特に有効である。
【００５４】
【発明の効果】
本発明により、加圧ローラの圧着が解除されているときは、補助ローラを圧着させることにより定着ベルトが安定して回転されるようになり、ウォーミングアップ時間の大幅な短縮が可能となり電力も節約されると共に、光沢度の安定した定着手段を持った画像形成装置が得られるようになった。
【００５５】
また、補助ローラの熱容量が小さいので、定着ベルトの温度低下を防止しながら、加圧ローラの圧着解除時でも定着ベルトを回転させることができるようになり、定着ベルトの経時劣化を防止し、長期間安定した性能が得られるようになった。
【図面の簡単な説明】
【図１】本発明のベルト定着装置が装着された画像形成装置の実施の形態としてのカラー画像形成装置を示す断面構成図である。
【図２】画像形成装置に搭載される本発明のベルト定着装置の一例の構成図である。
【図３】画像形成装置に搭載される本発明のベルト定着装置の一例の構成図である。
【図４】本発明のベルト定着装置の一例に装着される補助ローラとしての第２加圧ローラの側面図である。
【符号の説明】
１Ｙ，１Ｍ，１Ｃ，１Ｋ  感光体
４Ｙ，４Ｍ，４Ｃ，４Ｋ  現像手段
５Ｙ，５Ｍ，５Ｃ，５Ｋ  一次転写手段としての一次転写ローラ
５Ａ  二次転写手段としての二次転写ローラ
６Ｙ，６Ｍ，６Ｃ，６Ｋ  クリーニング手段
７  無端ベルト状中間転写体ユニット
２４，２４Ａ，２４Ｂ  ベルト定着装置
７０  無端ベルト状中間転写体
２４０  加熱ローラ
２４１  加熱源
２５０  支持ローラ
２５３  パッド
２５４  ガイド部材
２５５  温度センサ
２６０  定着ベルト
２７０  加圧ローラ
２８０  補助ローラ
２８０Ａ  第２加圧ローラ
２８０Ｂ  溝付きローラ
２９０  給紙ガイド
Ｐ  転写材
【図１】
2005031182.tif 000003
【図２】
2005031182.tif 000004
【図３】
2005031182.tif 000005
【図４】
2005031182.tif 000006